(57)【要約】      （修正有）【課題】チューニングピンを何度も回してもピン板がチューニングピンを保持する力が低下しないレストプランクを提供する。【解決手段】レストプランクは、第１及び第２の外側ワーキングプライと、その間に積み重ねられた少なくとも７枚の中間ワーキングプライを備える。ワーキングプライは、チューニングピンを確実に受け入れるように構成されたチューニングピンホールを全体として画定している。外側ワーキングプライの木目方向は、レストプランクによって規定される長手方向軸にほぼ平行に向けられる。中間ワーキングプライのうち２枚の木目方向は、長手方向軸に対して約６０°から約７５°の角度に向けられる。中間ワーキングプライのうち２枚の木目方向は、長手方向軸に対してほぼ直角に向けられる。さらに、かかるワーキングプライのうち２枚の木目方向は、長手方向軸に対して約１０５°から約１２０°の角度に向けられる。【選択図】図３
2009169375.tif 000002
【特許請求の範囲】
【請求項１】
弦を張った楽器に使用されるレストプランクであって、
第１及び第２の外側ワーキングプライと、
前記第１及び第２の外側ワーキングプライの間に積み重ねられ、それぞれが１つの木目方向を規定する少なくとも７枚の中間ワーキングプライと、を備え、
前記ワーキングプライが、チューニングピンを確実に受け入れるように構成されたチューニングピンホールを全体として画定することにより、前記チューニングピンが実質的に前記ワーキングプライの材端部によって囲まれ、かつこれと係合し、
前記外側ワーキングプライの木目方向が、前記レストプランクによって規定される長手方向軸にほぼ平行に向けられ、
前記ワーキングプライのうち２枚の木目方向が、前記長手方向軸に対して約６０°から約７５°の角度に向けられ、前記中間ワーキングプライのうち２枚の木目方向が、前記長手方向軸にほぼ直角に向けられ、前記中間ワーキングプライのうち２枚の木目方向が、前記長手方向軸に対して約１０５°から約１２０°の角度に向けられている、レストプランク。
【請求項２】
前記中間ワーキングプライのうち２枚の木目方向が、前記長手方向軸に対して約６０°の角度に向けられていることを特徴とする、請求項１に記載のレストプランク。
【請求項３】
前記中間ワーキングプライのうち２枚の木目方向が、前記長手方向軸に対して約１２０°の角度に向けられていることを特徴とする、請求項１に記載のレストプランク。
【請求項４】
前記中間ワーキングプライのうち少なくとも１枚の木目方向が、前記長手方向軸とほぼ平行に向けられていることを特徴とする、請求項１に記載のレストプランク。
【請求項５】
前記長手方向軸に対してある角度に向けられた前記中間ワーキングプライが、他のワーキングプライよりも厚いことを特徴とする、請求項１に記載のレストプランク。
【請求項６】
前記各ワーキングプライの厚さがほぼ等しいことを特徴とする、請求項１に記載のレストプランク。
【請求項７】
前記長手方向軸に対してある角度に向けられた前記中間ワーキングプライが、柾目引き木材からなることを特徴とする、請求項１に記載のレストプランク。
【請求項８】
前記長手方向軸に対してある角度に向けられた前記中間ワーキングプライが、板目引き木材からなることを特徴とする、請求項１に記載のレストプランク。
【請求項９】
前記各ワーキングプライがロータリーカットされた木材からなることを特徴とする、請求項１に記載のレストプランク。
【請求項１０】
前記各ワーキングプライがカエデの硬材からなることを特徴とする、請求項１に記載のレストプランク。
【請求項１１】
前記各ワーキングプライが隣接するワーキングプライに接着されていることを特徴とする、請求項１に記載のレストプランク。
【請求項１２】
前記中間ワーキングプライが、その木目方向が対称となる順序に積み重ねられていることを特徴とする、請求項１に記載のレストプランク。
【請求項１３】
弦を張った楽器に使用されるレストプランクであって、
第１及び第２の外側ワーキングプライと、
前記第１及び第２の外側ワーキングプライの間に積み重ねられ、それぞれが１つの木目方向を規定する９枚の中間ワーキングプライと、を備え、
前記ワーキングプライは、チューニングピンを確実に受け入れるように構成されたチューニングピンホールを全体として画定することにより、前記チューニングピンが実質的に前記ワーキングプライの材端部によって囲まれ、かつこれと係合し、
前記外側ワーキングプライの木目方向が、前記レストプランクによって規定される長手方向軸にほぼ平行に向けられ、
前記第１及び第９の中間ワーキングプライの木目方向が前記長手方向軸にほぼ直角に向けられ、前記第２、第５、及び第８の中間ワーキングプライの木目方向が前記長手方向軸にほぼ平行に向けられ、前記第３及び第７の中間ワーキングプライの木目方向が前記長手方向軸に対して約６０°から約７５°の角度に向けられ、前記第４及び第６の中間ワーキングプライの木目方向が前記長手方向軸に対して約１０５°から約１２０°の角度に向けられている、レストプランク。
【請求項１４】
前記中間ワーキングプライのうち２枚の木目方向が、前記長手方向軸に対して約６０°の角度に向けられていることを特徴とする、請求項１３に記載のレストプランク。
【請求項１５】
前記中間ワーキングプライのうち２枚の木目方向が、前記長手方向軸に対して約１２０°の角度に向けられていることを特徴とする、請求項１３に記載のレストプランク。
【請求項１６】
前記長手方向軸に対してある角度に向けられた前記中間ワーキングプライが、前記外側ワーキングプライよりも厚いことを特徴とする、請求項１３に記載のレストプランク。
【請求項１７】
前記各ワーキングプライの厚さがほぼ等しいことを特徴とする、請求項１３に記載のレストプランク。
【請求項１８】
前記長手方向軸に対してある角度に向けられた前記中間ワーキングプライが、柾目引き木材からなることを特徴とする、請求項１３に記載のレストプランク。
【請求項１９】
前記長手方向軸に対してある角度に向けられた前記中間ワーキングプライが、板目引き木材からなることを特徴とする、請求項１３に記載のレストプランク。
【請求項２０】
各ワーキングプライがロータリーカットされた木材からなることを特徴とする、請求項１３に記載のレストプランク。
【請求項２１】
前記各ワーキングプライがカエデの硬材からなることを特徴とする、請求項１３に記載のレストプランク。
【請求項２２】
前記各ワーキングプライが隣接するワーキングプライに接着されていることを特徴とする、請求項１３に記載のレストプランク。
【発明の詳細な説明】
【技術分野】
【０００１】
本発明は、ピアノ及び同様の楽器のチューニングピンを受け入れるためのピン板（ピアノ業界では「レストプランク」とも呼ばれる）に関する。
【背景技術】
【０００２】
ピン板またはレストプランクは、ピアノ前部の鉄板の下方に位置する積層厚板であり、鋼製のチューニングピンを受け入れるための複数の穴を規定している。各ピアノ弦の端部は、対応するチューニングピンの端部に巻きつけられている。チューニングピンをピン板の穴の中で回すことによって各ピアノ弦を締めて、音程を合わせる。ピン板は、チューニングピンが緩まないように確実に保持し、ピアノが調律された状態に保たれるようにしなければならない。
【発明の開示】
【発明が解決しようとする課題】
【０００３】
安価なピン板に使用される多層厚板は、接着剤の層が厚すぎたり、層が多すぎたりすることが多く、不安定な調律を招くことがある。ピン板またはレストプランクは、木の層からなることが多い。チューニングピンを何度も回すと、木が早く摩耗して、チューニングピンホールが大きくなってしまうことがあり、ついにはピン板がチューニングピンを緩まずに保持する力を低下させてしまう。
【０００４】
ピン板を形成する積層（すなわち層）の数は、製造業者によって異なる。例えば、スタインウェイのピアノは、一般に６枚または７枚の、例えば多くの場合、厚さ約８分の１インチから約１６分の５インチの、カエデ、ブナ、ブビンガのうち少なくとも１つの硬材からなる厚い積層を備えたピン板を有していて、各層の木目方向が、隣接する層の対向面の木目方向に対して約４５°に配置されている。他のピアノ製造業者は、７枚またはそれ以上の積層を備え、各層の木目方向が、隣接する層の対向面の木目方向に対してほぼ直角に配置されたピン板を提供している。
【課題を解決するための手段】
【０００５】
一態様において、弦を張った楽器に使用されるレストプランクは、第１及び第２の外側ワーキングプライと、第１および第２の外側ワーキングプライの間に積み重ねられた少なくとも７枚の中間ワーキングプライと、を備える。各ワーキングプライは、１つの木目方向を規定している。ワーキングプライは、チューニングピンを確実に受け入れるように構成されたチューニングピンホールを全体として画定する。チューニングピンは、実質的にワーキングプライの材端部によって囲まれ、かつこれと係合する。外側ワーキングプライの木目方向は、レストプランクによって規定される長手方向軸にほぼ平行に向けられる。中間ワーキングプライのうち２枚の木目方向は、長手方向軸に対して約６０°から約７５°、好ましくは約６０°の角度に向けられる。中間ワーキングプライのうち２枚の木目方向は、長手方向軸にほぼ直角に向けられる。さらに、かかるワーキングプライのうち２枚の木目方向は、長手方向軸に対して約１０５°から約１２０°、好ましくは約１２０°の角度に向けられる。ある実施例では、中間ワーキングプライのうち少なくとも１枚の木目方向は、長手方向軸とほぼ平行に向けられる。中間ワーキングプライは、その木目方向の向きが対称となる順序に積み重ねてもよい。
【０００６】
別の態様において、弦を張った楽器に使用されるレストプランクは、第１及び第２の外側ワーキングプライと、第１及び第２の外側ワーキングプライの間に積み重ねられ、それぞれが１つの木目方向を規定する９枚の中間ワーキングプライと、を備える。ワーキングプライは、チューニングピンを確実に受け入れるように構成されたチューニングピンホールを全体として画定する。チューニングピンは、実質的にワーキングプライの材端部によって囲まれ、かつこれと係合する。外側ワーキングプライの木目方向は、レストプランクによって規定される長手方向軸にほぼ平行に向けられる。第１及び第９の中間ワーキングプライの木目方向は、長手方向軸にほぼ直角に向けられ、第２、第５、及び第８の中間ワーキングプライの木目方向は、長手方向軸にほぼ平行に向けられる。第３及び第７の中間ワーキングプライの木目方向は、長手方向軸に対して約６０°から約７５°、好ましくは約６０°の角度に向けられ、第４及び第６の中間ワーキングプライの木目方向は、長手方向軸に対して約１０５°から約１２０°、好ましくは約１２０°の角度に向けられる。
【０００７】
本発明の実施例は、１つまたはそれ以上の以下の特徴を含み得る。ある実施例では、各ワーキングプライは、隣接したワーキングプライに接着される。ある例では、各ワーキングプライは、ロータリーカットされた木材からなる。しかしながら、柾目引き木材または板目引き木材など、他の適切な木材切断を利用してもよい。例えば、長手方向軸に対してある角度に向けられた中間ワーキングプライは、柾目引き木材または板目引き木材からなることができる。各ワーキングプライは、カエデ、ブナ、及びブビンガ硬材のうち少なくとも一つなど、適切な硬材からなる。ある例では、長手方向軸に対してある角度に向けられた中間ワーキングプライは、他のワーキングプライよりも厚くされる。別の例では、各ワーキングプライは、厚さがほぼ同じである。しかしながら、ある例では、外側ワーキングプライは、中間ワーキングプライと厚さが異なる。少なくとも中間ワーキングプライは、それぞれ少なくとも３ｍｍの厚さを有するのが好ましい。
【発明を実施するための最良の形態】
【０００８】
本発明の１つまたはそれ以上の実施例の詳細について、添付の図面及び以下の説明において述べる。その他の特徴、目的、及び利点は、説明及び図面、ならびに特許請求の範囲から明らかとなろう。
【０００９】
各図面において、同じ参照記号は同じ要素を示す。
【００１０】
本発明は、弦を張った楽器において、それぞれピンと張られた弦の応力が掛かった一連のチューニングピン１５０を、緩まずに確実に保持できる多層レストプランク１００（ピン板としても知られる）を提供する。ピアノの場合、各チューニングピン１５０は１本の弦に繋がれているが、この弦には約１５０から約２５０ポンドの張力が掛けられており、全ての弦を合わせると、約３０，０００から約４０，０００ポンドの張力が掛かっている。
【００１１】
図１から図３を参照すると、ある実施例では、レストプランク１００は、第１及び第２の外側ワーキングプライ（または層）２１０、２２０と、第１及び第２の外側ワーキングプライ２１０、２２０の間に積み重ねられた７枚または９枚の中間ワーキングプライ３００（７枚が図示されている）を備えている。各ワーキングプライ２１０、２２０、及び３００は、木目方向が、隣接するワーキングプライ２１０、２２０、３００の木目方向に対して所定の角度に向くように配置される。ワーキングプライ２１０、２２０、及び３００は、以下で説明するように互いに接着または貼り合わされ、チューニングピン１５０を受け入れるように構成された穴またはチューニングピンホール１１０を全体として画定している。ある例では、チューニングピン１５０は、直径約０．２８１インチとされ、直径約０．２５３インチのチューニングピンホール１１０に打ち込まれて締まり嵌めにされる。チューニングピン１５０は、実質的にワーキングプライ２１０、２２０、及び３３０の材端部によって囲まれ、これと係合している。
【００１２】
多層レストプランク１００は、例えば単層レストプランクと比較して、周囲の空気の湿度に比較的左右されることが少ない、チューニングピン１５０に対する保持作用を持ち、いかなる状況でも寸法が比較的安定している。レストプランク１００は、その多方向中間ワーキングプライ３００により、チューニングピン１５０に対する保持作用における、いわゆる「スリップスティック」現象を実質的になくして、全ての半径方向において比較的ほぼ一様な保持作用を持つ。一様な保持作用により、チューニングピン１５０を容易、正確、かつ堅固に所望の回転位置に設定できるとともに、長い使用期間にわたって簡単でなおかつ安定した調律の質を維持することができる。
【００１３】
図２は、レストプランク１００の木目方向に対するチューニングピン１５０の位置を示す概略図である。レストプランク１００は、木目３０６２の方向が、レストプランク１００によって規定される長手方向軸１０５に対して約６０°から約７５°、好ましくは約６０°の角度αに向けられた２枚の６０°中間ワーキングプライ３０６０と、木目３１２２の方向が、長手方向軸１０５に対して約１０５°から約１２０°、好ましくは約１２０°の角度βに向けられた２枚の１２０°中間ワーキングプライ３１２０を備えている。レストプランク１００はさらに、木目３０９２の方向が長手方向軸１０５にほぼ直角に向けられた２枚の９０°中間ワーキングプライ３０９０を有している。外側ワーキングプライ２１０及び２２０の各木目２１２及び２２２の方向は、長手方向軸１０５と平行に向けられている。ある実施例では、木目３００２の方向が長手方向軸１０５とほぼ平行に向けられた１枚またはそれ以上の０°中間ワーキングプライ３０００を備えている。中間ワーキングプライ３００はいかなる順序で積み重ねてもよいが、隣接する中間プライ３００、３０００、３０６０、３０９０、及び３１２０は、木目３００２、３０６２、３０９２、及び３１２２が長手方向軸１０５に対して異なる方向となるように向けられるのが好ましい。
【００１４】
レストプランク１００は、層またはワーキングプライ２１０、２２０、３００の少なくとも１枚の木目方向が、対応するチューニングピン１５０に掛かる最大応力の方向にほぼ平行であるように構成される。中間ワーキングプライ３００の木目方向の方向付けによって、比較的多くの部分の木口が、チューニングピン１５０への最大応力面においてチューニングピン１５０に掛かる弦荷重を受けるようになる。以下に述べる例に明示するように、中間ワーキングプライ３００は、別の順序または配列で積み重ねてもよい。
【００１５】
図１及び図３から図５は、７枚の中間ワーキングプライ３００を有し、全部で９枚のワーキングプライ２１０、２２０、３００を有するレストプランク１００の実施例を示している。図３及び図５は、ワーキングプライ２１０、２２０、３３０が階段状に切り除かれ、各層またはワーキングプライ２１０、２２０、３００の木目方向を二重矢印で示した、レストプランク１００の実施例の平面図である。外側ワーキングプライ２１０及び２２０の各木目２１２及び２２２の方向は、レストプランク１００によって規定される長手方向軸１０５と平行に向けられている。図１及び図３に示す例では、第１、第２の外側ワーキングプライ２１０、２２０の間に積み重ねられた中間ワーキングプライ３００の順序は、下から上に向かって、最初に９０°中間ワーキングプライ３０９０を１枚、２番目に６０°中間ワーキングプライ３０６０を１枚、３番目に１２０°中間ワーキングプライ３１２０を１枚、４番目に０°中間ワーキングプライ３０００を１枚、５番目に１２０°中間ワーキングプライ３１２０を１枚、６番目に６０°中間ワーキングプライ３０６０を１枚、そして７番目に９０°中間ワーキングプライ３０９０を１枚、としている。図４及び図５に示す例では、第１、第２の外側ワーキングプライ２１０、２２０の間に積み重ねられた中間ワーキングプライ３００の順序は、下から上に向かって、最初に６０°中間ワーキングプライ３０６０を１枚、２番目に９０°中間ワーキングプライ３０９０を１枚、３番目に１２０°中間ワーキングプライ３１２０を１枚、４番目に０°中間ワーキングプライ３０００を１枚、５番目に１２０°中間ワーキングプライ３１２０を１枚、６番目に９０°中間ワーキングプライ３０９０を１枚、そして７番目に６０°中間ワーキングプライ３０６０を１枚、としている。
【００１６】
対称や非対称の順序または配列など、他の層順への変更も可能である。例えば、第１、第２の外側ワーキングプライ２１０、２２０の間に積み重ねられた中間ワーキングプライ３００の順序は、下から上に向かって、最初に６０°中間ワーキングプライ３０６０を１枚、２番目に９０°中間ワーキングプライ３０９０を１枚、３番目に１２０°中間ワーキングプライ３１２０を１枚、４番目に０°中間ワーキングプライ３０００を１枚、５番目に６０°中間ワーキングプライ３０６０を１枚、６番目に９０°中間ワーキングプライ３０９０を１枚、そして７番目に１２０°中間ワーキングプライ３１２０を１枚、としてもよい。
【００１７】
図６から図９は、９枚の中間ワーキングプライ３００を有し、全部で１１枚のワーキングプライ２１０、２２０、３００を有するレストプランク１００の実施例を示している。図７及び図９は、層またはプライ２１０、２２０、３３０が階段状に切り除かれ、各層またはワーキングプライ２１０、２２０、３００の木目方向を二重矢印で示した、レストプランク１００の２つの実施例の平面図である。外側ワーキングプライ２１０及び２２０の各木目２１２及び２２２の方向は、レストプランク１００によって規定される長手方向軸１０５と平行に向けられている。これらの実施例は、７枚の中間ワーキングプライ３００を備えた例と比較して、さらに２枚の０°中間ワーキングプライ３０００を備えている。図６及び図７に示す例では、第１、第２の外側ワーキングプライ２１０、２２０の間に積み重ねられた中間ワーキングプライ３００の順序は、下から上に向かって、最初に９０°中間ワーキングプライ３０９０を１枚、２番目に０°中間ワーキングプライ３０００を１枚、３番目に６０°中間ワーキングプライ３０６０を１枚、４番目に１２０°中間ワーキングプライ３１２０を１枚、５番目に０°中間ワーキングプライ３０００を１枚、６番目に１２０°中間ワーキングプライ３１２０を１枚、７番目に６０°中間ワーキングプライ３０６０を１枚、８番目に０°中間ワーキングプライ３０００を１枚、そして９番目に９０°中間ワーキングプライ３０９０を１枚、としている。図８及び図９に示す例では、第１、第２の外側ワーキングプライ２１０、２２０の間に積み重ねられた中間ワーキングプライ３００の順序は、下から上に向かって、最初に６０°中間ワーキングプライ３０６０を１枚、２番目に０°中間ワーキングプライ３０００を１枚、３番目に９０°中間ワーキングプライ３０９０を１枚、４番目に１２０°中間ワーキングプライ３１２０を１枚、５番目に０°中間ワーキングプライ３０００を１枚、６番目に１２０°中間ワーキングプライ３１２０を１枚、７番目に９０°中間ワーキングプライ３０９０を１枚、８番目に０°中間ワーキングプライ３０００を１枚、そして９番目に６０°中間ワーキングプライ３０６０を１枚、としている。対称や非対称の順序または配列など、他の層順への変更も可能である。
【００１８】
各ワーキングプライ２１０、２２０、３００は、隣接するワーキングプライ２１０、２２０、３００に接着または貼り合わせされる。尿素樹脂接着剤を用いるのが好ましい。接着剤は、第２の外側ワーキングプライ２２０の上面に塗布される。中間ワーキングプライ３００の上面及び底面の両方に接着剤が塗布されて、第２の外側ワーキングプライ２２０の上に積み重ねられる。第１の外側ワーキングプライ２１０の底面に接着剤が塗布されて、中間ワーキングプライ３００の上に積み重ねられる。ワーキングプライ２１０、２２０、３００を積み重ねたもの、またはこれらの束は、ある時間（例えば、接着剤が固まるまで）加圧され、制御された環境（例えば、制御された温度及び湿度）を提供する空調室で硬化される。得られたレストプランク１００は、所望の形状に切断され、ピアノに組み込まれる。
【００１９】
レストプランク１００の木目方向に対するチューニングピン１５０の位置を示す概略図である図２を再び参照する。材端部または木口の有益な保持作用は、主として材端部の寸法が安定していることに因るものと見られるが、このことは、木材は木目に沿ってではなく、木目を横切る方向に伸縮する傾向があるからである。米国農水省の機関である林産研究所が集めたデータによれば、レストプランクの製造において最もよく利用される材料である硬材カエデの圧縮強度は、木口では木端の少なくとも３倍であり、木口の弾性は、木端の１０倍から２０倍であることが分かっている。「木口」という語は、木目に対して直角に切断した露出繊維、すなわち材端部を表すことを意図している。従って、レストプランク１００が、チューニングピンの最大応力方向により多くの材端部を呈する場合、チューニングピン応力が木目を横切る角度（例えば、木目に直角な方向）に作用する場合と比較して、チューニングピンホール１１０が変形する可能性が少なくなる。このようなチューニングピンホール１１０は、チューニングピンの最大荷重面に材端部が少ない構造と比較して、チューニングピン１５０を支持するための穴壁１１２（図１参照）が比較的強く、形が崩れたり、そのような荷重を受けて締まったりすることが少なくなる。その上、このようなレストプランク１００は、チューニングピン１５０に対するより多くの弾性支点を提供し、チューニングピン１５０が確実に保持され、かつ長年の使用にわたって緩まないままでいるようにしている。これに対して、チューニングピンホール１１０に比較的多くの木端が露出しているレストプランク構造は、比較的大きな膨張や収縮を起こし、チューニングピンホール１１０を変形させてしまう傾向がある。膨張や収縮が何度も繰り返されると、木材は圧縮永久ひずみを呈する可能性があり、繊維が圧縮され、チューニングピンホール１１０をさらに変形させてしまうこともあり得る。
【００２０】
木目の方向が、対応する弦５０（例えば、図１０及び図１１参照）からチューニングピン１５０に掛けられる応力の方向と平行であれば、チューニングピンホール１１０の変形は大幅に削減される。従って、ワーキングプライ２１０、２２０、及び３３０の少なくとも１枚を、レストプランク１００の材料に対して圧力を掛ける各チューニングピン１５０の側面に当たる、少なくともある程度の木口を有するように方向付けることが望ましい。材端部の破断繊維が、チューニングピン１５０の適当な保持に主に関与していると考えられている。よって、最大応力位置において、すなわち対応する弦５０が引っぱる方向に、各チューニングピン１５０を支持する、より多くの木口を有するようにレストプランク１００を構成すれば、チューニングピン１５０の十分な保持が確保されるであろう。図１０及び図１１にそれぞれ示す横型ピアノ１０Ａまたは縦型（アップライト）ピアノ１０Ｂの例では、応力は、ピアノ１０Ａ、１０Ｂの全体にわたって様々な角度でチューニングピン１５０に掛けられている。その結果、木口もまた様々な角度に配置しなければならない。例えば、高音弦では、弦５０は、レストプランク１００の長手方向軸１０５に対して通常直角であり（例えば、図１０ではＤ＝０°、図１１ではＷ＝０°、いずれも長手方向軸１０５と直角な基準線に対して測定）、低音弦は、図１０及び図１１に示すように、長手方向軸１０５と直角な基準線に対して３０°もの角度Ａ，Ｂ，Ｘ，またはＹを取ることがあり、中央部では、角度ＣまたはＺは、図１０及び図１１に示すように、長手方向軸１０５と直角な基準線に対して、多くの場合約２５°以下である。チューニングピン１５０は、チューニングピンホール１１０の、弦５０の長手方向と合致する部分に対する最大力を受ける。
【００２１】
図１０は、横型またはグランドピアノ１０Ａの部分平面図であり、レストプランク１００によって保持されるチューニングピン１５０に対する、ピアノ１０Ａのレストプランク板アセンブリ１４に沿った様々な位置における弦の荷重角度を示している。弦の荷重角度は、弦５０の長手方向軸から、レストプランク１００の長手方向軸１０５と直角な基準軸までを測定したものである。レストプランク１００は一般に、チューニングピン１５０を受けるように構成されたチューニングピンプレート４０の下方の適所に保持される。図示した例では、各レストプランク１００にかかる弦の荷重角度としては、約５°から約２０°の弦荷重角度Ａ、約１０°から約２０°の弦荷重角度Ｂ、及び約５°から約１５°の弦荷重角度Ｃがある。ピアノ１０Ａの半分の高音の弦５０は、約０°の角度Ｄで荷重を掛けている。
【００２２】
図１１は、縦型（アップライト）ピアノ２０の内側の部分正面図であり、レストプランク１００によって保持されるチューニングピン１５０に掛かる弦荷重角度を示している。図に示す例では、各レストプランク１００にかかる弦荷重角度としては、約５°から約１５°の弦荷重角度Ｘ、約５°から約１５°の弦荷重角度Ｙ、及び約１０°から約２５°の弦荷重角度Ｚがある。ピアノ１０Ｂの半分の高音の弦５０は、約０°の角度Ｗで荷重を掛けている。
【００２３】
横型ピアノ１０Ａと縦型ピアノ１０Ｂの間では、最大弦荷重角度Ａ，Ｂ，Ｃ，Ｄ，Ｗ，Ｘ，Ｙ，Ｚは約２５°であり、これがチューニングピン１５０に掛かると、レストプランク１００は、チューニングピンホール１１０において長手方向軸１０５に対して約１１５°及び約６５°の角度で弦荷重を支えることになる。中間ワーキングプライ３００の方向づけにより、チューニングピン１５０にかかる弦荷重を、実質的に長手方向軸１０５に対して約１２０°及び約６０°の角度で支える木口が得られる。その結果、ここに述べるレストプランク構成では、現在公知のレストプランクよりも多くの部分の木口が、チューニングピン１５０に対する弦荷重を受けるようになる。その結果得られるレストプランク１００の調律感が向上する。
【００２４】
ワーキングプライ２１０、２２０、３００は、適切な木材、好ましくは厳選されロータリーカットされた硬いカエデ、マホガニー・ブビンガ堅木、または同等な硬材からなる。ロータリーカットされたベニヤは、一般に、丸太を旋盤に設置し、固定刃に当たるように長手方向軸を中心として丸太を回転させることによって得られる。丸太が回転すると、切断刃が中心に向かってゆっくりと移動し（例えば、カットされるベニヤの厚さによって異なる）、連続した１枚のベニヤが丸太から剥きとられる。しかし、柾目引き木材など、他の適切な木材切断を利用してもよい。柾目引きベニヤは、一般に、丸太を長手方向にくさび状に切断、あるいは４つのほぼ均一な「４分の１」に切断し、その４分の１を出来る限りほぼ丸太の半径方向に薄く切って所望の厚さのベニヤにすることによって得られる。
【００２５】
各ワーキングプライ２１０、２２０、３００は、約８分の１インチ、好ましくは３．３５ｍｍの同じ厚さを有するものとしてもよい。少なくとも中間ワーキングプライはそれぞれ、少なくとも３ｍｍの厚さを有するのが好ましい。同一厚さのワーキングプライ２１０、２２０、３００は、レストプランク１００にかかる応力を分散させるのにも役立ち、反ったり、別様に変形したりする傾向があまり現れなくなる。これにより、さらにバランスの取れた、従ってさらに安定したレストプランク１００が得られる。ある例では、外側ワーキングプライ２１０及び２２０は、中間ワーキングプライ３００よりも薄いベニヤである。チューニングピン１５０にかかる弦荷重を受ける木口を比較的多くするために、ある実施例では、１２０°中間ワーキングプライ３１２０、６０°中間ワーキングプライ３０６０、さらに任意に９０°中間ワーキングプライ３０９０を、残りのワーキングプライ２１０、２２０、３００よりも厚く、好ましくは約６ｍｍの厚さとする。これらの中間ワーキングプライ３０６０、３０９０、３１２０は、板目引きまたは柾目引き木材からなるものとしてもよいが、残りのワーキングプライ２１０、２２０、３００は、ロータリーカット木材からなる。
【００２６】
先に述べたように、木材は、乾燥させても吸湿性を維持している。従って、木材は、乾燥した空気に湿気を放出する、または湿った空気から湿気を吸収して、乾燥すると収縮し、湿ると膨張する。木材の収縮は、チューニングピン１５０に触れている木端をチューニングピン１５０から離れるように収縮させ、チューニングピン１５０に対する支持面の総領域を減少させてしまう。膨張すると、チューニングピン１５０に触れている木端がチューニングピン１５０に過度に付きすぎて、ひいては、圧縮永久ひずみにより、木材が再び乾燥して収縮した時に、支持領域または緊密度をさらに低下させてしまう。チューニングピンホール１１０は、楕円形になる傾向がある。従って、レストプランク１００の品質はピアノの寿命にとって重要であり、厳選され十分に乾燥された木材からなる、適切に設計されたレストプランクは、適した気候条件下に保たれたならば、ピアノの寿命を存続させることができる。木材の寸法変化は、木目に沿った方向ではごくわずかであるが、木目を横切る方向ではかなりの量になるので、木目方向を交互にした多層構造は、比較的安定した状態を保つ。というのも、ワーキングプライ２１０、２２０、３００の間の接着ボンドが、膨張するワーキングプライ２１０、２２０、３００を膨張しないワーキングプライ２１０、２２０、３００に固定することによって、レストプランク１００の寸法変化を防止、または少なくとも減少させる傾向があるからである。プライ２１０、２２０、３００を対称的に配置して、厚さの等しい外側ワーキングプライ２１０、２２０、及び外側ワーキングプライ２１０、２２０と同じ厚さの、またはこれよりも厚い中間ワーキングプライ３００を使用することが好ましい。ワーキングプライ２１０、２２０、３００は、応力を一様にして、レストプランク１００のバランスをとるために、同じ種類の木材及び木目形状のものとすることができ、これによりレストプランク１００が安定する。
【００２７】
幾つかの実施例について説明してきたが、本発明の主旨及び範囲から逸脱することなく様々な変形が可能であることは理解されよう。したがって、他の実施例も特許請求の範囲に含まれる。
【図面の簡単な説明】
【００２８】
【図１】チューニングピン用の穴を見せるために一部が切り除かれた９枚の層またはプライを備えたレストプランクの側面図である。
【図２】レストプランクの木目方向に対するチューニングピンの位置を示す概略図である。
【図３】層またはプライが階段状に切り除かれ、各層またはプライの木目方向を二重矢印で示した、図１に示すレストプランクの平面図である。
【図４】チューニングピン用の穴を見せるために一部が切り除かれた９枚の層またはプライを備えたレストプランクの側面図である。
【図５】層またはプライが階段状に切り除かれ、各層またはプライの木目方向を二重矢印で示した、図４に示すレストプランクの平面図である。
【図６】チューニングピン用の穴を見せるために一部が切り除かれた１１枚の層またはプライを備えたレストプランクの側面図である。
【図７】層またはプライが階段状に切り除かれ、各層またはプライの木目方向を二重矢印で示した、図６に示すレストプランクの平面図である。
【図８】チューニングピン用の穴を見せるために一部が切り除かれた１１枚の層またはプライを備えたレストプランクの側面図である。
【図９】層またはプライが階段状に切り除かれ、各層またはプライの木目方向を二重矢印で示した、図８に示すレストプランクの平面図である。
【図１０】レストプランクのチューニングピンに掛かる弦の荷重角度を示す、横型またはグランドピアノの部分平面図である。
【図１１】レストプランクのチューニングピンにかかる弦の荷重角度を示す、縦型ピアノの背面アセンブリの部分正面図である。
【符号の説明】
【００２９】
１００  レストプランク
１１０  チューニングピンホール
１１２  穴壁
１５０  チューニングピン
２１０  第１の外側ワーキングプライ
２２０  第２の外側ワーキングプライ
３００  中間ワーキングプライ
３０００、３０６０、３０９０、３１２０  中間ワーキングプライ
【図１】
2009169375.tif 000003
【図２】
2009169375.tif 000004
【図３】
2009169375.tif 000005
【図４】
2009169375.tif 000006
【図５】
2009169375.tif 000007
【図６】
2009169375.tif 000008
【図７】
2009169375.tif 000009
【図８】
2009169375.tif 000010
【図９】
2009169375.tif 000011
【図１０】
2009169375.tif 000012
【図１１】
2009169375.tif 000013